(57)【要約】【課題】  小型化が可能になるとともに、持ち運びも容易になり、訪問エステティクあるいはマッサージの施術用に適したものとなる折り畳みベッドを提供する。【解決手段】表面側に人の体を保持するカバー部（２０，２０）を装着した一対のベッド枠（１２，１２）が折り畳み可能に接続されたベッド本体（１１）と、一対のベッド枠（１２，１２）の両端部側が下部側に回動可能に取付けられたベッド本体（１１）を平坦な状態で保持するための１対の支持部（２５，２５）と、１対の支持部（２５，２５）側と１対のベッド枠（１２，１２）が折り畳み可能に接続された側との間に設けられた折込可能な保持軸（３２，３２）と、保持軸（３２，３２）を真直ぐな状態に保持するためのワイヤ（３５，３６）とを有する。【選択図】    図１
2010011890.tif 000002
【特許請求の範囲】
【請求項１】
表面側に人の体を保持するカバー部を装着した一対のベッド枠が折り畳み可能に接続されたベッド本体と、前記一対のベッド枠の両端部側が下部側に回動可能に取付けられた前記ベッド本体を平坦な状態で保持するための１対の支持部と、前記１対の支持部側と前記１対のベッド枠が折り畳み可能に接続された側との間に設けられた折込可能な保持軸と、前記保持軸を真直ぐな状態に保持するためのワイヤとを有することを特徴とする折り畳みベッド。
【請求項２】
前記ベッド枠の人の頭部側が保持される側のカバー部は、該頭部側を高く保持する傾斜可能に取付けられた第１のカバー部が傾斜支持部により傾斜角度を変更可能に取付けられていることを特徴とする請求項１記載の折り畳みベッド。
【請求項３】
前記折込可能な保持軸は、前記支持部側に回動可能に取付けられた短い第１の保持軸と長い第２の保持軸とが軸連結部において折り曲げ可能に取付けられ、かつ前記第２の保持軸が前記一対のベッド枠が接続された側の軸連結部に回動可能に接続されていることを特徴とする請求項１記載の折り畳みベッド。
【請求項４】
前記ワイヤは、一端部側が前記支持軸の上端部側に接続され他端部側が前記前記保持軸の折込可能な部分に接続された第１のワイヤと、前記左右の保持軸の折込可能な部分の間に接続された第２のワイヤとを有することを特徴とする請求項１記載の折り畳みベッド。
【請求項５】
前記１対の支持部は、支持軸の端部側に長さ調整可能に調整軸が取付けられていることを特徴とする請求項１記載の折り畳みベッド。
【発明の詳細な説明】
【技術分野】
【０００１】
本発明は、小型化でき持ち運びも容易になり、例えば、訪問エステティクあるいはマッサージの施術用に適した折り畳みベッドに関するものである。
【背景技術】
【０００２】
従来から全身美容あるいは理容のためのエステティク店やマッサージ店が増えてきているが、さらに近年においては、訪問によるエステティク及びマッサージの業種が増えてきている。訪問によるエステティク及びマッサージは、利用者の自宅にエステティクやマッサージの施術者が訪問して、その利用者の自宅において施術するというものである。このような訪問によるエステティクあるいはマッサージは、その利用者が自宅から外出することなく施術を受けることができる利便性から好評を博している理由となっている。しかしながら、このような訪問によるエステティクあるいはマッサージの場合においては、その施術者が訪問する際に、エステティクあるいはマッサージ施術のためのベッドを携行する必要があった。
【０００３】
このような施術者の訪問による、エステティクあるいはマッサージの施術用ベッドは、軽量であるとともに、携帯が容易になるように小さく折りたたむことができるものが要望されている。
【０００４】
他方で、エステティクあるいはマッサージの施術用ベッドの場合では、ベッド上で横たわるだけではなく、施術者が利用者の体を揉んだり、押したりすることがあるため、耐荷重性についても十分に考慮する必要があった。なお、エステティクあるいはマッサージの施術用ベッドの場合には、ベッド上で本当に寝るわけではないため、長時間の耐震自体についてはさほど気を遣う必要はなかった。
【０００５】
従来、折り畳み可能で、かつ、軽量化を図った折り畳みベッドとしては、特許文献１に記載されたものが知られている。この折り畳みベッドは、特に、接地面に垂直な支持脚体のみで、利用者の重量を支えなければならないため、この支持脚体を頑丈なものとするために必要が構造と材料を使用する必要があった。また、この折り畳みベッドは、高さが低い構造に形成されたものであり、エステティクあるいはマッサージの施術用ベッドとしては、その施術者が立った状態で行うことが多いため、ベッド上面もある程度の高さが必要であった。
【０００６】
【特許文献１】特開平１１−７５９９８号公報
【発明の開示】
【発明が解決しようとする課題】
【０００７】
本発明は上記事情に鑑みなされたもので、小型化が可能になるとともに、持ち運びも容易になり、訪問エステティクあるいはマッサージの施術用に適した折り畳みベッドを提供することを目的とする。
【課題を解決するための手段】
【０００８】
上記目的を達成するために請求項１に記載の発明にあっては、表面側に人の体を保持するカバー部を装着した一対のベッド枠が折り畳み可能に接続されたベッド本体と、前記一対のベッド枠の両端部側が下部側に回動可能に取付けられた前記ベッド本体を平坦な状態で保持するための１対の支持部と、前記１対の支持部側と前記１対のベッド枠が折り畳み可能に接続された側との間に設けられた折込可能な保持軸と、前記保持軸を真直ぐな状態に保持するためのワイヤとを有することを特徴とするものである。
【０００９】
請求項２に記載の発明にあっては、前記ベッド枠の人の頭部側が保持される側のカバー部は、該頭部側を高く保持する傾斜可能に取付けられた第１のカバー部が傾斜支持部により傾斜角度を変更可能に取付けられていることを特徴とするものである。
【００１０】
請求項３に記載の発明にあっては、前記折込可能な保持軸は、前記支持部側に回動可能に取付けられた短い第１の保持軸と長い第２の保持軸とが軸連結部において折り曲げ可能に取付けられ、かつ前記第２の保持軸が前記一対のベッド枠が接続された側の軸連結部に回動可能に接続されていることを特徴とするものである。
【００１１】
請求項４に記載の発明にあっては、前記ワイヤは、一端部側が前記支持軸の上端部側に接続され他端部側が前記前記保持軸の折込可能な部分に接続された第１のワイヤと、前記左右の保持軸の折込可能な部分の間に接続された第２のワイヤとを有することを特徴とするものである。
【００１２】
請求項５に記載の発明にあっては、前記１対の支持部は、支持軸の端部側に長さ調整可能に調整軸が取付けられていることを特徴とするものである。
【発明の効果】
【００１３】
表面側に人の体を保持するカバー部を装着した一対のベッド枠が折り畳み可能に接続されたベッド本体と、一対のベッド枠の両端部側が下部側に回動可能に取付けられたベッド本体を平坦な状態で保持するための１対の支持部と、１対の支持部側と１対のベッド枠が折り畳み可能に接続された側との間に設けられた折込可能な保持軸と、保持軸を真直ぐな状態に保持するためのワイヤとを有することで、小型化が可能になるとともに、持ち運びも容易になり、訪問エステティクあるいはマッサージの施術用に適したものとなる。
【発明を実施するための最良の形態】
【００１４】
以下、本発明を図示の一実施形態により具体的に説明する。図１〜図７は本発明実施形態の折り畳みベッドを説明する図であり、図１は折り畳みベッドの使用状態における斜視図、図２は折り畳みベッドの正面図、図３は折り畳みベッドの使用状態における平面図、図４は折り畳みベッドの構造を説明する部分断面した側面図、図５は表面が傾斜した使用状態における折り畳みベッドの正面図、図６は折り畳みベッドの畳み込み途中の状態を説明する正面図、図７は折り畳みベッドの畳み込んだ状態を説明する図である。
【００１５】
図１に示すように、本発明実施形態の折り畳みベッド１０は、人が体を水平状態にして寝ることができる十分な大きさに形成されるとともに、使用しないときには、２つ折にして小さく畳むことができるベッド本体１１を有し、このベッド本体１１の下部側の両端部側には、使用する状態において、そのベッド本体１１の上面を水平に支持するとともに所定の高さ調整できる一対の支持部２５，２５が取付けられているものである。２つ折のベッド本体１１は、同じ大きさの１対のベッド枠１２，１２が、中央部において２つ折りできるように連結部１３で接続されている。また、それぞれのベッド枠１２，１２の上面には、人の体を柔軟に支持するためのカバー部２０，２０が設けられている。ベッド本体１１の下部側には使用状態において、それぞれの支持部２５，２５が直立した状態に保持されるように同じ長さに形成された保持軸３０，３０がそれぞれ設けられている。これらの保持軸３０，３０は、それぞれ短い第１の保持軸３１，３１と、長い第２の保持軸３２，３２とが軸連結部３３，３３において折り曲げ可能に接続され、第１の保持軸３１，３１の端部側がそれぞれ支持部２５，２５の中央部に回動可能に接続され、第２の保持軸３２，３２の他端部側がベッド本体１１，１１が連結された側に設けられた軸支持部１８，１８に回動可能に接続されている。また、これらの保持軸３０，３０は、一端部が支持部２５，２５の上端部側に接続された第１のワイヤ３５，３５の他端部が軸連結部３３，３３に接続され、また左右の軸連結部３３，３３との間は、第２のワイヤ３６，３６により接続されている。
【００１６】
次に、上記の各部の構成をさらに詳細に説明する。図２〜図４に示すように、ベッド本体１１は、同じ大きさのほぼ長方形状に形成された２組のベッド枠１２，１２から形成され、その２組のベッド枠１２，１２の端部側に設けられた連結部１３により水平状態にできるとともに、裏面側を互いに向けて折り畳み可能に接続されている。これら２組のベッド枠１２，１２は、それぞれ同じ形状と大きさの長方形状に形成され、かつその長方形状の大きさは、水平にした使用状態において、その上面に人が寝た状態で体を支持できるように十分な大きさに形成されている。本実施形態においては、１組のベッド枠１２の大きさが、例えば、水平状態における縦横の寸法が９０ｃｍ×６０ｃｍ程度の長方形状の大きさに形成され、使用状態である２組の接続されたベッド枠１２，１２を水平状態に保持されたときには、縦横の寸法が１８０ｃｍ×６０ｃｍ程度の大きさになる。このようなベッド枠１２，１２は、人の重量を十分に支持できる強度を有するとともに全体として軽量化できる構造と材料が使用される。本実施形態においては、ベッド枠１２，１２として、例えば、厚さが１ｍｍ程度で、断面形状として縦横が２．５ｃｍ×２．５ｃｍ程度の長方形のパイプ状に形成されたアルミニウム管からなる材料を使用することができる。なお、ベッド枠１２，１２の材料や大きさは、強度と軽量化を考慮してアルミニウム以外の薄い材料からなる金属管等を使用することも可能である。本実施形態の長方形状に形成されたベッド枠１２，１２の角部は、９０度の角度で尖った形状に形成されているが、緩やかな円弧状に形成してもよく、その大きさや形状に関しては任意にでき、実施形態に限定されない。また、図３に示すように、一方のベッド枠１２側面側のほぼ中央部には、後に詳細に説明する折り畳んだ状態において、手で持ち運びできるようにするための取っ手３８が設けられている。さらに、ベッド枠１２，１２の両端部側には、折り畳んだ状態に保持するための連結部１４，１５が設けられている。
【００１７】
上記ベッド本体１１のベッド枠１２，１２の上面にそれぞれ設けられるカバー部２０，２０は、図２〜図４に示すように、一方の人の頭部側が配置されるカバー部２０は、人の頭部側から体の背中側が支持される第１のカバー部２０ａと、人の背中の下部側が支持される第２のカバー部２０ｂとから構成され、他方の人の腰から足側が配置されるカバー部２０は、一体的に形成されている。これらカバー部２０，２０は、ベッド枠１２，１２の上面において人の体の重量を十分に支持できる強度を有する支持板２１と、この支持板２１の表面側を覆う体を柔軟に保持できるマット部２２と、このマット部２２の表面側を覆うカバー布２３とから構成されている。支持板２１は、ベッド枠１２の上面を覆う矩形状に形成され、人の重量を支持できる強度を有する軽量な材料から形成されている。マット部２１は、例えば、厚さが２〜３ｃｍ程度に形成された、人の体を柔軟に保持できるクッション材料から形成されている。カバー布２３は、マット部２１の表面を覆うプラスチック材料からなる布材を使用することができる。
【００１８】
上記支持部２５は、図２及び図４に示すように、同じ長さの真っ直ぐに形成された軽量な一対の支持軸２６，２６と、これら支持軸２６，２６の間隔を平行な状態に保持する一対の支持板２７，２７と、それぞれの支持軸２６，２６の下端部側に突出可能に取付けられた調整軸２８，２８等とを有する。一対の支持軸２６，２６は、例えば、その外径が３ｃｍ程度で長さが４５ｃｍ程度の軽量なアルミニューム等の材料からなるパイプ材から形成され、間隔がベッド枠１２の横幅よりやや小さい５０ｃｍ程度になるように、一対の金属材料からなる支持板２７，２７により平行に取付けられている。また、一対の支持軸２６，２６は、その端部側がベッド枠１２の両端部側の内側に設けられた支持部１９，１９に回動可能に取付けられ、そのベッド枠１２の内側に畳み込むことができるようになっている。それぞれの支持軸２６，２６の下部側には、それぞれ装着される調整軸２８，２８の取付け長さを調整するための複数の調整孔２９が、例えば、３個程度一定の５ｃｍ程度の間隔で形成され、調整軸２８，２８に設けられた押し込み可能な突起４６，４６が調整孔２９に挿入されるようになっている。また、支持軸２６，２６の下部側内に挿入されている調整軸２８，２８は、バネ材により押し込み可能に突起４６，４６が支持孔２９，２９に突出されるように取付けられている。すなわち、調整軸２８，２８は、支持軸２６，２６の下方に突出される長さを調整できるようになっている。さらに、調整軸２８，２８には、床等に当接される下端部側に柔軟な材料かななる保持部２８ａ，２８ａが設けられている。
【００１９】
上記の保持軸３０，３０を構成する短い第１の保持軸３１，３１は、図２及び図４に示すように、一端部側がそれぞれ支持軸２６，２６のほぼ中央部に設けられた保持軸３４，３４により回動可能に取付けられている。また、短い第１の保持軸３１，３１と長い第２の保持軸３２，３２の一方の端部との間は、それぞれ軸連結部３３，３３により回動可能に接続されている。さらに、長い第２の保持軸３２，３２の他方の端部側は、ベッド本体１１，１１が連結された側において軸支持部１８，１８に回動可能に連結されている。これらの短い第１の保持軸３１，３１と長い第２の保持軸３２，３２とは、図２に示すように、カバー部２０，２０の上面が水平な使用状態において、それぞれの支持部２５，２５の支持軸２６，２６が垂直な状態のときに、一方の短い第１の保持軸３１，３１と他方の長い第２の保持軸３２，３２とが、軸支持部３４，３４と他方の軸支持部１８，１８との間が真っ直ぐな状態となって一定の傾斜した角度で保持されるようになっている。
【００２０】
第１のワイヤ３５，３５の一端部は、支持軸２５，２５が回動可能に取付けられている支持部１９，１９に接続され、他端部は、それぞれ軸連結部３３，３３に接続されている。また、第１のワイヤ３５，３５の長さは、図２及び図４に示すように、使用状態である短い第１の保持軸３１，３１と長い第２の保持軸３２，３２とが真っ直ぐな状態で保持できるようになっている。第２のワイヤ３６，３６は、それぞれの端部が図２に示す左右の軸連結部３３，３３に接続され、かつ中央部が使用状態においてワイヤ取付部１６に取付けられたワイヤ３７により緊張した状態で支持されるようになっている。すなわち、第１のワイヤ３５，３５と第２のワイヤ３６，３６は、使用状態においてベッド枠１２，１２が水平状態、支持軸２５，２５が垂直状態、及び保持軸３０，３０が真っ直ぐな傾斜した状態のときに緊張した状態にななる。また、ベッド枠１２，１２が内側に傾斜し、支持軸２５，２５が互いに内側に傾斜し、保持軸３０，３０が曲がった状態になると、緩んだ状態になる。
【００２１】
上記の一方のカバー部２０を構成する第１のカバー部２０ａは、図５に示すように、第２のカバー部２０ｂの端部側においてベッド本体１１上部に設けられた連結部１７に回動可能に取付けられ、他方の頭部側が傾斜支持部４０により傾斜角度を変更可能に取付けられている。この傾斜支持部４０は、ベッド本体１１の端部側に回動可能に取付けられた支持軸４１と、この支持軸４１内に長さ調整可能に取付けられる調整軸４２とを有し、この調整軸４２の端部が第１のカバー部２０ａのほぼ中央下端部に取付けられた支持部４３に設けられた連結部４４において回動可能に取付けられている。すなわち、第１のカバー部２０ａの頭部側を上方に引上げると、連結部１７を中心に傾斜するとともに支持軸４１も傾斜し、調整軸４２が引出された状態で所定角度で保持されるようになっている。すなわち、調整軸４２は、支持軸４１内において引出し長さが複数の一定長さに引出し可能に取付けられており、これにより、第１のカバー部２０ａの傾斜角度を複数の角度で段階的に調整できるようになっている。また、図３に示すように、第１のカバー部２０ａの頭部が支持される部分には、頭部側を柔軟に保持するためにマット部３９が設けられている。さらに、ベッド本体１１，１１の取っ手３８が設けられた反対側の側面には、運搬中において床や地面側等に当接される支持突起４５，４５がそれぞれ設けられている。
【００２２】
上記構成の折り畳みベッド１０は、例えば、室内における床上等に配置して使用するときには、ベッド本体１１のカバー部２０，２０がそれぞれ設けられているベッド枠１２，１２側を、連結部１３を中心にして平坦な状態にするとともに、それぞれのベッド枠１２，１２の両端部に設けられている支持部２５，２５を支持部１９，１９を中心にして回動させる。続いて、支持部２５，２５の端部側に設けられた調整軸２８，２８，２８，２８側を床の表面に当接させて、ベッド本体１１を上面側にする。この状態において、ベッド本体１１のベッド枠１２，１２は、その表面が平坦な状態になるとともに、それぞれの支持部２５，２５を構成する左側の支持軸２６，２６と右側の支持軸２６，２６とがほぼ垂直な状態になる。これら左右の支持軸２６，２６及び２６，２６が垂直状態になると、それぞれの左右の支持軸２６，２６及び２６，２６と、ベッド本体１１のベッド枠１２，１２が連結された側の軸支持部１８，１８，１８，１８との間に設けられた保持軸３０，３０，３０，３０が、それぞれ図２に示すように真っ直ぐで中心部に向けて傾斜した状態で保持される。また、この状態において左右の第１のワイヤ３５，３５，３５，３５は、それぞれの支持部１９，１９，１９，１９と軸連結部３３，３３，３３，３３との間において真っ直ぐに引き伸ばされた状態になり、同時に第２のワイヤ３６，３６も左右の軸連結部３３，３３の間でほぼ水平な状態で引き伸ばされ、かつそれぞれの第２のワイヤ３６，３６の中央部は、ワイヤ取付部３６に接続されたワイヤ３７により緊張した状態で引き上げられるようになっている。すなわち、ベッド本体１１のベッド枠１２，１２が水平な使用状態にあるときには、左右の支持軸２６，２６及び２６，２６は、下端部側に向けて垂直状態になるとともに、保持軸３０，３０，３０，３０が傾斜した真っ直ぐな状態となり、かつ左右の第１のワイヤ３５，３５，３５，３５及び第２のワイヤ３６，３６が真直ぐに引き伸ばされた状態になる。これにより、ベッド本体１１は、水平な状態に保持されるとともに、支持部２５，２５も垂直な状態に維持される。これにより、水平な状態に維持されたベッド枠１２，１２の表面にカバー部２０，２０が設けら、かつ支持軸２５，２５が垂直状態に保持されるため、人がカバー部２０，２０の表面に寝ても、体が安定して保持した状態で使用することができる。さらに、本実施形態においては、一方のカバー部２０の頭部が配置される側の第１のカバー部２０ａが傾斜支持部４０により、第１のカバー部２０ａの傾斜角度を複数の角度で段階的に調整できるようになっていることで、使用する状態に応じて頭部側から背中側を一定の傾斜した角度で保持させた状態にすることが可能になる。
【００２３】
次に、上記の折り畳みベッド１０を使用状態から、畳んだ状態にするときには、横に倒した状態にするとともに、図６に示すように、ベッド本体１１のベッド枠１２，１２を連結部１３を中心にして裏面側に傾斜した状態にすると、緊張した左右の第１のワイヤ３５，３５，３５，３５及び第２のワイヤ３６，３６が緩んだ状態になるとともに、それぞれの支持部２５，２５も垂直状態から、取付部１９，１９，１９，１９を中心にして互いにそれぞれのベッド枠１２，１２の裏面側に回動する。これらの支持部２５，２５がベッド枠１２，１２の裏面側に回動した状態においては、左右の第１のワイヤ３５，３５，３５，３５及び第２のワイヤ３６，３６が緩んだ状態になるとともに、保持軸３０，３０，３０，３０が軸連結部３３，３３，３３，３３において曲がった状態になる。さらに、図７に示すように、ベッド枠１２，１２の裏面側を互いに当接させた状態にすることで、ベッド枠１２，１２の裏面側に、それぞれの支持部２５，２５が挿入されるとともに、保持軸３０，３０，３０，３０もそれぞれの短い第１の保持軸３１，３１，３１，３１と長い第２の保持軸３２，３２，３２，３２とが曲げられた状態になり、左右の第１のワイヤ３５，３５，３５，３５及び第２のワイヤ３６，３６もさらに揺るいだ状態となって、ベッド枠１２，１２の裏面内に収納された状態になって畳み込むことができるようになる。
【００２４】
なお、上記の実施形態において、傾斜支持部４０における第１のカバー部２０ａの大きさは、頭部から背中側を支持できる大きさに形成した例を記載したが、その大きさも任意にでき実施携帯に限定されない。また、マット部２１の厚さ等も必要に応じて任意にでき実施形態に限定されない。
【００２５】
以上説明したように、本発明の折り畳みベッド１０では
、軽量化と小型化が可能になるとともに、持ち運びも容易になり、訪問エステティクあるいはマッサージの施術用に適した折り畳みベッドとして利用することができる。
【産業上の利用可能性】
【００２６】
軽量化と小型化が可能になるとともに、持ち運びも容易になり、訪問エステティクあるいはマッサージの施術用に適した折り畳みベッドを提供する。
【図面の簡単な説明】
【００２７】
【図１】本発明実施形態の折り畳みベッドの使用状態における斜視図である。
【図２】本発明実施形態の折り畳みベッドの側面図である。
【図３】本発明実施形態の折り畳みベッドの使用状態における平面図である。
【図４】本発明実施形態の折り畳みベッドの構造を説明する部分断面した側面図である。
【図５】本発明実施形態の表面が傾斜した使用状態における折り畳みベッドの側面図である。
【図６】本発明実施形態の折り畳みベッドの畳み込み途中の状態を説明する側面図である。
【図７】本発明実施形態の折り畳みベッドの畳み込んだ状態を説明する側面図である。
【符号の説明】
【００２８】
１０  折り畳みベッド
１１  ベッド本体
１２  ベッド枠
１３  連結部
１４，１５  連結部
１６  ワイヤ取付部
１７  連結部
１８  軸支持部
１９  支持部
２０  カバー部
２０ａ  第１のカバー部
２０ｂ  第２のカバー部
２１  支持板
２２  マット部
２３  カバー布
２５  支持部
２６  支持軸
２７  支持板
２８  調整軸
２８ａ  保持部
２９  調整孔
３０  保持軸
３１  第１の保持軸
３２  第２の保持軸
３３  軸連結部
３４  軸支持部
３５  第１のワイヤ
３６  第２のワイヤ
３７  ワイヤ
３８  取っ手
３９  マット部
４０  傾斜支持部
４１  支持軸
４２  調整軸
４３  支持部
４４  連結部
４５  支持突起
４６  突起
【図１】
2010011890.tif 000003
【図２】
2010011890.tif 000004
【図３】
2010011890.tif 000005
【図４】
2010011890.tif 000006
【図５】
2010011890.tif 000007
【図６】
2010011890.tif 000008
【図７】
2010011890.tif 000009